(57)【要約】【課題】  表示ムラを低減することができる液晶表示装置を提供すること。【解決手段】  本発明の一態様にかかる液晶表示装置は、基板１０上に、カラーフィルタ２２と、カラーフィルタ２２の外側に配置され、外部から視認される有効視野領域に設けられた段差補正層２７とが形成され、基板１０と対向基板２０とに挟持された液晶層を封止するシール材３３と、有効視野領域内に設けられ、基板１０と対向基板２０との間隔を規制する第１のスペーサ３１と、有効視野領域の外側に設けられ、第１のスペーサ３１より直径の大きい第２のスペーサ３２とを備えるものである。【選択図】  図１
2006153968.tif 000002
【特許請求の範囲】
【請求項１】
第１基板と第２基板とに挟持された液晶層を有する液晶表示装置であって、
前記第１基板上に、
表示領域内の画素に対応して設けられたカラーフィルタと、
前記表示領域の外側に配置され、外部から視認される有効視野領域に設けられた段差補正層とが形成され、
前記有効視野領域内に設けられ、前記第１基板と前記第２基板との間隔を規制する第１のスペーサと、
前記有効視野領域の外側に設けられ、前記第１のスペーサより直径の大きい第２のスペーサとを備える液晶表示装置。
【請求項２】
前記画素の少なくとも一部に、反射膜が形成され、
前記反射膜と前記段差補正層とが同じ材料により形成されている請求項１に記載の液晶表示装置。
【請求項３】
前記第２のスペーサの直径が前記第１のスペーサの直径よりも、前記段差補正層の厚さだけ大きい請求項１又は２に記載の液晶表示装置。
【請求項４】
前記第２のスペーサの直径と前記第１のスペーサの直径との差が、前記表示領域の表面高さと前記有効視野領域の外側の表面高さとの差に対応している請求項１又は２に記載の液晶表示装置。
【発明の詳細な説明】
【技術分野】
【０００１】
本発明は液晶表示装置に関し、特に詳しくはカラーフィルタを有する液晶表示装置に関する。
【背景技術】
【０００２】
パーソナルコンピュータ、その他各種モニタ用の画像表示装置として、あるいは、携帯電話の表示画面やカーナビゲーションシステムの表示画面など、液晶表示装置の普及は目覚しいものがある。液晶表示装置としては様々なタイプのものが知られており、透過型液晶表示装置、反射型液晶表示装置、あるいは半透過半反射型液晶表示装置などが知られている。また、液晶表示装置では、カラーフィルタを用いたカラー表示が採用されている。この液晶表示装置では、通常、画素毎にＲ（Red：赤）、Ｇ（Green：緑）、Ｂ（Blue：青）の三色のカラーフィルタを備えるカラーフィルタ基板を有している。
【０００３】
透過型液晶表示装置は背面側からの透過光を使用して画像表示を行う。透過型液晶表示装置は液晶表示パネルと、その背面に配置されたバックライトユニットとを有する。液晶表示パネルは、その透過光を制御することにより画像表示を行う。液晶表示パネルは、２枚のガラス基板の間に液晶を封入し、液晶に印加する電界を制御することによって、透過光量を制御することができる。また、２枚のガラス基板のうち、一方のガラス基板がカラーフィルタ基板となる。液晶表示パネルはTN（Twisted Nematic）やSTN（Super Twisted Nematic）などのモードが知られている。バックライトユニットは、典型的には、光源とその光源の光を効果的に液晶表示パネルに出射するために、複数の光学部材を有している。
【０００４】
透過型液晶表示装置と反射型液晶表示装置の特性を併せ持つ表示装置として、半透過半反射型の液晶表示装置が知られている（例えば、特許文献１を参照。）。半透過半反射型の液晶表示装置は、１画素に、透過領域と反射領域とを備えている。画素に設けられた反射膜が反射領域に対応する。そして、画素における反射領域以外のカラーフィルタ層が透過領域に対応する。また、反射膜の前面側にもカラーフィルタ層が設けらている。反射膜とカラーフィルタ層とは液晶層の背面側に形成されている。明るい場所では、反射膜が反射した外光を利用することによって、見やすい表示と消費電力低減を実現することができる。一方、暗い場所では、カラーフィルタ層を透過して液晶層に入射するバックライトユニットからの光を使用することによって、品質の優れた画像を表示することができる。
【０００５】
ところで、液晶表示装置では、表示ムラの発生を防ぐため、セルギャップを一定に保つことが必要である。すなわち、２枚のガラス基板の間隔が一定でないと、液晶層の厚みが部分的に異なり、表示ムラが発生してしまう。このため、２枚のガラス基板間には、その間隔を規制するスペーサが用いられる。
【０００６】
【特許文献１】特開２００１−２８１６４８号公報
【発明の開示】
【発明が解決しようとする課題】
【０００７】
しかしながら、上述の液晶表示装置には、セルギャップを一定にすることができない場合があった。これについて図３を用いて説明する。図３は従来の液晶表示装置のカラーフィルタ基板の構成の一例を示す断面図である。ここでは半透過半反射型液晶表示装置を例に挙げて説明する。
【０００８】
図３において１０は基板、２１は反射膜、２２はカラーフィルタ、２３はＢＭ（ブラックマスク）、２４は平坦化層、２６は電極、２７は段差補正層である。基板１０の上にはカラーフィルタ２２が設けられている。カラーフィルタ２２は例えば、マトリクス状にパターニングされている。このカラーフィルタ２２のそれぞれは画素に対応している。そして、図３に示すようにカラーフィルタ２２が設けられている領域全体が表示領域となる。この画素が形成された表示領域に所望の画像が表示される。このカラーフィルタ２２は例えば、Ｒ、Ｇ、Ｂの三色からなる。
【０００９】
画素の一部には反射膜２１が設けられている。この反射膜２１は視認側から入射した光を反射する。反射膜２１は、カラーフィルタ２２よりも薄く設けられているため、反射膜２１の上にもカラーフィルタ２２が形成される。画素のうち、反射膜が設けられている部分が反射領域となる。一方。画素のうち、反射膜２１が設けられておらず、カラーフィルタ２２のみが設けられいる部分が透過領域となる。カラーフィルタ２２の間にはＢＭ２３が設けられている。すなわち、表示領域におけるＢＭ２３とＢＭ２３との間が画素となる。ＢＭ２３は樹脂やクロムからなる遮光膜である。ＢＭ２３は画素間からの光漏れを防ぐために設けられる。ＢＭ２３はさらに、基板１０の端部まで形成されている。すなわち、ＢＭ２３は表示領域の外側にも形成されている。
【００１０】
カラーフィルタ２２の保護及び平坦化のために平坦化層２４がカラーフィルタ２２を覆うように形成される。この平坦化層２４は基板１０の端部まで設けられている。したがって、表示領域の外側のＢＭ２３の上にも平坦化層２４が設けられる。平坦化層２４の上には、電極２６が形成される。この電極２６は例えば、透明導電膜によって形成される。電極２６に電圧を印加することにより、液晶層が駆動する。また表示領域の外側には段差補正層２７が設けられている。この段差補正層２７については後述する。
【００１１】
なお、図３では図示しないが、電極２６の上には、セルギャップを保持するためのスペーサが散布される。そして、基板１０の外周部にはシール材が設けられる。このシール材により、基板１０と、基板１０と対向する対向基板とが貼り合わせられる。
【００１２】
ここで、液晶表示装置には、一般に、液晶表示パネルの表示領域の外側の領域の一部が外部から視認される。すなわち、基板１０において表示領域を囲む領域の一部が、外部から視認されてしまう。図３に示すように、この外部から視認される領域全体を有効視野領域とする。したがって、有効視野領域は表示領域よりも若干大きい領域となる。表示領域と表示領域の外側の額縁状の領域とを合わせた領域が有効視野領域となる。有効視野領域から表示領域を除いた領域は額縁状となる。この額縁状の領域は非表示領域ではあるが、外部から視認される領域となる。
【００１３】
この有効視野領域の表示領域の外側の領域にはＢＭ２３が配設される。このＢＭ２３により光漏れを防ぐことができる。よって、有効視野領域の表示領域の外側の額縁状の領域は黒色に視認される。ここで、有効視野領域の表示領域の外側の領域には、カラーフィルタ２２によって生じる段差を補正する段差補正層２７が設けられている。すなわち、有効視野領域において表示領域の外側の額縁状の領域にはカラーフィルタ２２が設けられていない。一方、表示領域にはカラーフィルタ２２が設けられている。したがって、このカラーフィルタ２２の有無によって、表示領域の表面高さは額縁状の領域の表面高さに比べて高くなる。この表面高さの差によって生じる段差を補正するために、有効視野領域における額縁状の領域には段差補正層２７が設けられている。この段差補正層２７により、表示領域近傍におけるセルギャップの変化を低減することができる。すなわち、段差補正層２７を設けることよって、表示領域近傍における表示ムラを低減することができる。
【００１４】
しかしながら、段差補正層２７の外側、すなわち、有効視野領域の外側の表面高さは有効視野領域に比べて低くなってしまう。すなわち、有効視野領域の外側と内側とには段差ａが生じる。このような段差が生じてしまった場合、有効視野領域外においてセルギャップを一定に保つスペーサと両方の基板とが接しなくなってしまう。すなわち、スペーサと一方の基板との間に間隔が生じる。よって、有効視野領域外において、基板間隔を規制することができなくなってしまう。これにより、液晶表示パネルに力が加わると、液晶表示パネルに反りが生じてしまう。この反りによって、セルギャップが一定でなくなり表示ムラが生じてしまう。この表示ムラは半透過型の液晶表示装置に限らず、透過型及び反射型の液晶表示装置についても同様に生じてしまう。すなわち、カラーフィルタを用いて液晶表示装置であれば、上記の表示ムラが生じてしまう場合があった。
【００１５】
このように従来の液晶表示装置では、表示ムラが発生してしまうという問題点があった。
本発明はこのような問題点に鑑みてなされたものであり、表示ムラを低減することができる液晶表示装置を提供することを目的とする。
【課題を解決するための手段】
【００１６】
本発明の第１の態様にかかる液晶表示装置は、第１基板と第２基板とに挟持された液晶層を有する液晶表示装置であって、前記第１基板上に、表示領域内の画素に対応して設けられたカラーフィルタと、前記カラーフィルタの外側に配置され、外部から視認される有効視野領域に設けられた段差補正層とが形成され、前記第１基板と前記第２基板とに挟持された前記液晶層を封止するシール材と、前記表示領域内に設けられ、前記第１基板と前記第２基板との間隔を規制する第１のスペーサと、前記段差補正層と前記シール材の間に設けられ、前記第１のスペーサより直径の大きい第２のスペーサとを備えるものである。これにより、表示ムラの発生を低減することができる。
【００１７】
本発明の第２の態様にかかる液晶表示装置は、上述の液晶表示装置において、前記画素の少なくとも一部に、反射膜が形成され、前記反射膜と前記段差補正層とが同じ材料により形成されているものである。これにより、製造工程を簡略化することができる。
【００１８】
本発明の第３の態様にかかる液晶表示装置は、上述の液晶表示装置において、前記第２のスペーサの直径が前記第１のスペーサの直径よりも、前記段差補正層の厚さだけ大きいものである。これにより、効果的に表示ムラの発生を低減することができる。
【００１９】
本発明の第４の態様にかかる液晶表示装置は、上述の液晶表示装置において、前記第２のスペーサの直径が前記第１のスペーサの直径よりも、前記有効視野領域の外側の表面高さと前記表示領域の表面高さとの差だけ大きくなっているものである。これにより、効果的に表示ムラの発生を低減することができる。
【発明の効果】
【００２０】
本発明によれば、表示ムラを低減することができる液晶表示装置を提供することができる。
【発明を実施するための最良の形態】
【００２１】
以下に、本発明を適用可能な実施の形態が説明される。以下の説明は、本発明の実施形態を説明するものであり、本発明は以下の実施形態に限定されるものではない。
【００２２】
本発明にかかる液晶表示装置に用いられる液晶表示パネルの構成について図１を用いて説明する。図１は本発明にかかる液晶表示装置の液晶表示パネルの構成を示す断面図である。ここでは半反射・半透過液晶表示装置を例に挙げて説明する。
【００２３】
図１において１０は基板、２０は対向基板、２１は反射膜、２２はカラーフィルタ、２３はＢＭ（ブラックマスク）、２４は平坦化層、２６は電極、２７は段差補正層、３１は第１のスペーサ、３２は第２のスペーサ、３３はシール材である。
【００２４】
基板１０及び対向基板２０は例えば、透明なガラス基板である。基板１０と対向基板２０とは対向配置される。基板１０と対向基板２０との間には液晶層（図示せず）が挟持される。液晶表示パネルはTN（Twisted Nematic）やSTN（Super Twisted Nematic）などのモードを用いることができる。基板１０の背面側には面状光源装置であるバックライトユニット（図示せず）が設けられる。そして、このバックライトユニットからの光が液晶層を通過し、対向基板２０側に出射される。バックライトユニットは、典型的には、光源とその光源の光を効果的に液晶表示パネルに出射するために、複数の光学部材を有している。
【００２５】
基板１０の上にはカラーフィルタ２２が設けられている。すなわち、基板１０はカラーフィルタ２２が形成されたカラーフィルタ基板となる。カラーフィルタ２２はマトリクス状にパターニングされている。このカラーフィルタ２２のそれぞれは画素に対応している。そして、図１に示すようにカラーフィルタ２２が設けられている領域全体が表示領域となる。この画素が形成された表示領域に所望の画像が表示される。このカラーフィルタ２２は例えば、Ｒ（Red：赤）、Ｇ（Green：緑）、Ｂ（Blue：青）の三色からなる。
【００２６】
カラーフィルタ２２の間にはＢＭ２３が設けられている。すなわち、表示領域におけるＢＭ２３とＢＭ２３との間が画素となる。ＢＭ２３は樹脂やクロムからなる遮光膜である。ＢＭ２３は画素間からの光漏れを防ぐために設けられる。ＢＭ２３はさらに、基板１０の端部まで形成されている。すなわち、ＢＭ２３は表示領域周辺における光漏れを防ぐため、表示領域の外側にも形成されている。
【００２７】
画素の一部には反射膜２１が設けられている。この反射膜２１は視認側から入射した光を反射する。反射膜２１は、カラーフィルタ２２よりも薄く設けられているため、反射膜２１の上にもカラーフィルタ２２が形成される。画素のうち、反射膜が設けられている部分が反射領域となる。反射領域では外部から入射した光が反射する。一方。画素のうち、反射膜２１が設けられておらず、カラーフィルタ２２のみが設けられいる部分が透過領域となる。透過領域ではバックライトユニットからの光が透過する。このような構成により、半透過半反射型液晶表示装置の画素が形成される。反射膜２１は例えば、膜厚が０．１〜０．３μｍの金属薄膜で形成することができる。
【００２８】
カラーフィルタ２２の保護及び平坦化のために平坦化層２４がカラーフィルタ２２を覆うように形成される。この平坦化層２４は基板１０の端部まで設けられている。したがって、表示領域の外側のＢＭ２３の上にも平坦化層２４が設けられる。
【００２９】
平坦化層２４の上には、電極２６が形成される。この電極２６は例えば、透明導電膜によって形成される。電極２６に電圧を印加することにより、液晶層が駆動する。例えば、パッシブマトリクス型の液晶表示装置では、電極２６はストライプ状に形成される。そして、対向基板２０に、電極２６との互いに直交する電極（図示せず）が設けられる。対向基板２０の電極も透明導電膜により形成される。基板１０の電極と対向基板２０の電極のうち、一方が信号電極となり、他方が走査電極となる。そして、基板１０の電極２６と対向基板２０の電極との間に電圧を印加する。これにより、液晶に印加される電界が発生する。この電界を制御することによって、液晶表示パネルを透過する透過光量を制御することができる。もちろん、本発明はパッシブマトリクス型の液晶表示装置に限られるものでなく、アクティブマトリクス型やセグメント型の液晶表示装置に対して用いることが可能である。なお、電極２６及び対向基板２０の電極の上に、液晶を所定の方向に配向させる配向膜を形成してもよい。
【００３０】
基板１０の端部にはシール材３３が設けられる。シール材３３は基板１０の端部全体を囲むよう額縁状に設けられる。このシール材３３により基板１０と対向基板２０とが貼り合わせられる。シール材３３は基板１０と対向基板２０との間に挟持された液晶層を封止する。なお、図１ではシール材３３は平坦化層２４上に形成しているが、基板１０上に直接形成してもよい。
【００３１】
また、表示領域の外側には段差補正層２７が設けられている。この段差補正層２７については後述する。
【００３２】
ここで、液晶表示装置には、一般に、表示領域の外側の領域が外部から視認される。すなわち、基板１０において表示領域を囲む領域の一部が、外部から視認されてしまう。図１に示すように、この外部から視認される領域全体を有効視野領域とする。したがって、有効視野領域は表示領域よりも若干大きい領域となる。すなわち、表示領域と表示領域の外側の額縁状の領域とを合わせた領域が有効視野領域となる。有効視野領域から表示領域を除いた領域は額縁状となる。この額縁状の領域は非表示領域ではあるが、外部から視認される領域となる。
【００３３】
この有効視野領域の表示領域の外側の領域にはＢＭ２３が配設される。このＢＭ２３により光漏れを防ぐことができる。よって、有効視野領域の表示領域の外側の額縁状の領域は黒色に視認される。ここで、有効視野領域の表示領域の外側の領域には、カラーフィルタ２２によって生じる段差を補正する段差補正層２７が設けられている。すなわち、有効視野領域の額縁状の領域にはカラーフィルタ２２が設けられていない。一方、表示領域にはカラーフィルタ２２が設けられている。したがって、このカラーフィルタ２２の有無によって、表示領域の表面高さは額縁状の領域の表面高さに比べて高くなる。この表面高さの差によって生じる段差を補正するために、有効視野領域における額縁状の領域には段差補正層２７が設けられている。段差補正層２７は表示領域を囲むように額縁状にパターニングされる。段差補正層２７は反射膜２１と同じプロセスで形成することができる。この場合、段差補正層２７は反射膜２１と同じ材料により形成される。これにより、製造工程を簡略化することができ、生産性を向上することができる。この場合、段差補正層２７は反射膜２１と同じ、０．１〜０．３μｍの膜厚で形成される。この段差補正層２７により、表示領域近傍におけるセルギャップの変化を低減することができる。すなわち、段差補正層２７を設けることよって、表示領域近傍における表示ムラを低減することができる。
【００３４】
ここで、有効視野領域の内側と外側には段差補正層２７の有無による段差が生じる。本発明では、この段差による表示ムラを低減するため、高さの異なる第１のスペーサ３１と第２のスペーサ３２とを設けている。第１のスペーサ３１及び第２のスペーサ３２は球状スペーサである。第１のスペーサ３１は有効視野領域に配設され、第２のスペーサ３２は有効視野領域の外側に配設される。ここで、段差補正層２７の有無により生じるセルギャップの変化を低減するため、第１のスペーサの直径は第２のスペーサの直径よりも小さくなっている。すなわち、段差補正層２７の有無によって、有効視野領域の内側と外側で基板１０の表面高さに差が生じている。第２のスペーサ３２と第１のスペーサ３１の直径の差は、有効視野領域の内側と外側における基板１０の表面高さの差に一致している。したがって、第２のスペーサ３２と第１のスペーサの直径の差は、有効視野領域の外側の表面高さと表示領域の表面高さの差に対応している。なお、有効視野領域の外側及び表示領域の表面高さはそれぞれの領域における表面高さの平均値とする。例えば、第２のスペーサ３２と第１のスペーサ１との直径の差を、段差補正層２７の膜厚と一致させることができる。第２のスペーサ３２をこの差の分だけ第１のスペーサ３１よりも大きくする。これにより、有効視野領域の外側においても、基板１０及び対向基板２０の表面に第２のスペーサ３２が接する。さらに有効視野領域内においても基板１０及び対向基板２０の表面に第１のスペーサ３１が接する。したがって、液晶表示パネル１の全面において、基板１０及び対向基板２０の表面とスペーサが接する。よって、有効視野領域の内側だけでなく外側においても、基板間隔を規制することができる。これにより、液晶表示パネル１の反りを防ぐことができ、表示ムラを低減することができる。
【００３５】
次に、この液晶表示パネル１の製造工程について説明する。まず、基板１０上に反射膜２１及び段差補正層２７を形成する。具体的にはＡｌなどの金属薄膜を蒸着やスパッタリングにより成膜する。そして、フォトリソグラフィにより金属薄膜をパターニングし、反射膜及び段差補正層２７を形成する。反射膜２１及び段差補正層２７は例えば、０．２μｍの厚さで形成することができる。
【００３６】
次に、段差補正層２７の上に、ＢＭ２３を形成する。ＢＭ２３は例えば、金属クロム又はカーボンやチタンをフォトレジストに分散した樹脂により、形成される。金属クロムを用いた場合、ＢＭ２３はフォトリソグラフィ法により、図1に示すようにパターニングされる。樹脂ＢＭを用いた場合、塗布、露光及び現像を行うことによって、ＢＭ２３は図１に示すようパターニングされる。
【００３７】
続いて、顔料分散法などにより、感光性着色材料の塗布、露光、現像を行い、カラーフィルタ２２を形成する。Ｒ、Ｇ、Ｂのそれぞれの感光性着色材料について、それぞれ、塗布、露光、現像を繰り返し、３色のカラーフィルタ２２を形成する。ここでは、まず、上記の反射膜２１及び段差補正層２７と同じ膜厚すなわち、０．２μｍの着色層を形成する。これにより、画素の反射膜２１が形成されていない領域にカラーフィルタが形成される。そして、反射膜２１及び反射膜と同じ膜厚のカラーフィルタの上から、同様の方法により０．８μｍの膜厚の着色層を設ける。これにより、図１に示す形状のカラーフィルタ２２を形成することができる。
【００３８】
この後、ＢＭ２３及びカラーフィルタ２２の上から平坦化層２４を形成する。平坦化層２４は樹脂により形成することができる。
【００３９】
平坦化層２４の上から、電極２６を形成する。まず、スパッタリング法や蒸着法などを用いて、ＩＴＯなどの透明導電膜を成膜する。そして、フォトリソグラフィ法により透明導電膜をパターニングする。これにより、図１に示すような電極２６が形成される。なお、電極２６の上に、配向膜を設け、ラビング処理を行ってもよい。
【００４０】
なお、対向基板２０にも、上述と同様な工程により、電極を形成する。さらに、対向基板２０の電極の上にも、配向膜を設けてもよい。ＴＮモードやＳＴＮモードでは基板１０と対向基板２０との配向膜の配向方向が直交するようにラビング処理される。
【００４１】
そして、基板１０の上にシール材３３が塗布される。シール材３３はディスペンサを用いて塗布することができる。あるいは、スクリーン印刷を用いてシール材３３を形成してもよい。ここで、シール材３３は液晶注入口を除いて、額縁状に配置される。シール材３３には熱硬化性樹脂や光硬化性樹脂が用いられる。例えば、シール材３３としてエポキシ樹脂を用いることができる。シール材３３は額縁状の段差補正層２７の外側に配設される。すなわち、段差補正層２７を設ける領域とシール材３３を形成する領域とを離間させる。これにより、シール材３３の下側に、額縁状の段差補正層２７が配置されない構造と成る。よって、シール材３３の剥離を防ぐことができる。すなわち、段差補正層２７は額縁状に形成されているため、段差補正層２７がシール材３３の下にあるとシール材３３全体の下に段差補正層２７が形成されてしまう。この場合、シール材３３の剥離が生じやすくなってしまう。よって、シール材３３を額縁状の段差補正層２７の外側に形成することが好ましい。
【００４２】
シール材３３を形成した基板１０の上から第１のスペーサ３１及び第２のスペーサ３２を散布する。このスペーサの散布工程について図２を用いて説明する。図２はスペーサ散布工程を説明するための図であり、基板１０を上から見た図を模式的に示している。ここで、スペーサ散布装置の散布ノズルを用いて第１のスペーサ３１及び第２のスペーサ３２を上から散布するとき、それぞれの散布領域に対応したマスクを用いる。具体的には、第１のスペーサ３１を散布するとき、図２（ａ）に示す第１のマスク領域３５が形成されるマスクを基板上に配置する。第１のマスク領域３５は有効視野領域の外側の領域と一致している。すなわち、第１のマスク領域３５によってマスクされていない領域は有効視野領域と一致している。これにより、有効視野領域の外側の領域がマスクされ、有効視野領域内にのみ第１のスペーサ３１を散布することができる。
【００４３】
一方、第２のスペーサ３２を散布するとき、図２（ｂ）に示す第２のマスク領域３６が形成されるマスクを基板上に配置する。第２のマスク領域３６は有効視野領域と一致している。これにより、有効視野領域がマスクされ、有効視野領域の外側の領域にのみ第２のスペーサ３２を散布することができる。したがって、図２（ｃ）に示すように第１のスペーサ３１と第２のスペーサ３２とを所定の領域に散布することができる。このように、本発明では、段差に応じてスペーサの直径を変更する。スペーサの粒子径は例えば、０．０５μｍ刻みで変更することができる。よって、簡易に表示ムラを低減することができる。
【００４４】
なお、第１のスペーサ３１と第２のスペーサ３２を散布する順番は特に限定されるものではない。すなわち、第１のスペーサ３１を散布した後、第２のスペーサ３２を散布してもよい。あるいは、第２のスペーサ３２を散布した後、第１のスペーサ３１を散布してもよい。また、第１のスペーサ３１を散布するとき、マスクを用いなくてもよい。この場合、基板１０の全面に第１のスペーサ３１が散布される。すなわち、有効視野領域の外側にも、第１のスペーサ３１が散布される。しかし、第１のスペーサ３１は第２のスペーサ３２よりも小さいので、セルギャップの変化に影響を与えない。その後、上記の説明では基板１０にスペーサを散布したが、対向基板２０にスペーサを散布してもよい。この場合、対向基板２０にシール材を形成した後、上述の方法と同様の方法により、スペーサを散布する。
【００４５】
この後、基板１０と対向基板２０を対向させ、シール材３３を硬化する。これにより、基板１０と対向基板２０とが貼り合わせられる。このとき、対向基板２０を押圧しながら、シール材を硬化させる。基板１０と対向基板２０との間の第１のスペーサ３１及び第２のスペーサ３２は若干押し潰され、変形する。第１のスペーサ３１及び第２のスペーサ３２は基板１０及び対向基板２０の表面と接する。よって、基板間隔が第１のスペーサ３１及び第２のスペーサ３２により規制される。そして、シール材３３に設けられた注入口から液晶を注入する。注入口を封止することにより、液晶表示パネルが完成する。このような製造方法を用いることにより、簡易な方法で表示ムラが低減された液晶表示装置を製造することができる。
【００４６】
なお、上述の説明では半透過半反射型の液晶表示装置について説明を行ったが、本発明は反射型及び透過型の液晶表示装置に対して利用することができる。すなわち、カラーフィルタを有する表示装置に利用することができる。半透過半反射型及び反射型の液晶表示装置では、反射膜を段差補正層として用いることができる。これにより、製造工程を簡略化することができる。また、カラーフィルタを段差補正層２７として用いることもできる。なお、上述の説明では直径の異なる２種類の球状スペーサを用いたが、段差に応じて直径の異なる３種類以上の球状スペーサを用いてもよい。
【図面の簡単な説明】
【００４７】
【図１】本発明にかかる液晶表示装置に用いられる液晶表示パネルの端部の構成を示す断面図である。
【図２】本発明にかかる液晶表示装置において、スペーサが散布される領域を模式的に示す図である。
【図３】従来の液晶表示装置に用いられる液晶表示パネルのカラーフィルタ基板の端部の構成を示す図である。
【符号の説明】
【００４８】
１、液晶表示パネル
１０  基板
２０  対向基板
２１  反射膜
２２  カラーフィルタ
２３  ＢＭ
２４  平坦化層、
２６  電極
２７  段差補正層
３１  第１のスペーサ
３２  第２のスペーサ、
３３  シール材
３５  第１のマスク領域
３６  第２のマスク領域
【図１】
2006153968.tif 000003
【図２】
2006153968.tif 000004
【図３】
2006153968.tif 000005